(57)【要約】      （修正有）【課題】組立て箸の箸棒構造を提供する。【解決手段】組立て箸の箸棒構造の箸棒１は、螺接組立ての２本の棒体を含み、該１本の棒体には外ネジ１２を設置し、該もう１本の棒体には該外ネジに螺接可能な内ネジ孔１３を設置する。該内ネジ孔を備える棒体は該内ネジ孔の底端に収容孔１４を設置し、該収容孔は該外ネジ末端を緊密に圧迫可能な弾性体２を嵌入する。該緊密圧迫作用により、該外ネジの該内ネジ孔からの緩み脱落を効果的に防止し、箸棒の構造の安定性を増強することができる。【選択図】図３
0003145252.tif 000002
【実用新案登録請求の範囲】
【請求項１】
少なくとも螺接組合せる２本の棒体を含み、そのうちの１本の該棒体は組立て端において外ネジを設置し、該もう１本の棒体は組立て端において該外ネジを螺接可能な内ネジ孔を設置し、
該内ネジ孔を備える棒体は該内ネジ孔の底端に収容孔を備え、しかも該収容孔内部には該外ネジ末端を緊密圧迫可能な弾性体を嵌入することを特徴とする組立て箸の箸棒構造。
【請求項２】
前記弾性体は実体のゴムであることを特徴とする請求項１記載の組立て箸の箸棒構造。
【請求項３】
前記弾性体はバネであることを特徴とする請求項１記載の組立て箸の箸棒構造。
【請求項４】
前記弾性体は複数折畳まれた弾力片であることを特徴とする請求項１記載の組立て箸の箸棒構造。
【考案の詳細な説明】
【技術分野】
【０００１】
本考案は組立て箸の箸棒構造に関する。特に該箸棒は２本の棒体を螺接組成し、しかも該箸棒の螺接位置は弾性体により緊密に接触され、こうして２本の棒体の緩み、分離を防止可能な組立て箸の箸棒構造に係る。
【背景技術】
【０００２】
公用の食器を介する疾病の伝染が多かったこと、割り箸の製造に衛生上の疑いが浮かび上がって来たこと、環境保護の考え方が日増しに高まっていることに鑑み、図１に示す携帯に便利な組立て箸が開発された。図１に示すように、公知の組立て箸A は２本の箸棒１０を備える。該箸棒１０は、それぞれ螺接組立てする２本の棒体１０１を含む。内１本の該棒体１０１には外ネジ１０２を設置し、もう１本の棒体１０１には該外ネジ１０２を螺接する内ネジ孔１０３を設置する。該２本の棒体１０１の螺接により、該箸棒１０は便利に組立てられ、長さを減らすことができ、収容包装に有利である。しかし、多数回使用すると、該箸棒１０の螺接においては、該外ネジ１０２と該内ネジ孔１０３の磨耗により緩みの現象がしばしば発生し、該箸棒１０の２本の棒体１０１は緩み、脱落し、分解してしまう。これが公知の組立て箸Aの重大な問題である。 
【０００３】
公知箸棒１０の上記問題に対して、図２に示す公知構造では、２本の螺接する棒体１０１間に弾性を備えるワッシャー２０を挟設する。こうして、該ワッシャー２０の弾力反発により該２本の螺接する棒体１０１を押し、該外ネジ１０２の該内ネジ孔１０３からの緩み脱落を防止する。しかし、該箸棒１０にワッシャー２０を加える組合せ接続は長期の使用により、該ワッシャー２０が破損し、反発力を失うという状況が別に発生し、該箸棒１０は磨耗と緩み脱落の欠点をやはり改善することができない。
【０００４】
よって、該箸棒１０が多数回の螺接使用後に、寿命を著しく縮めてしまう問題に対して、さらなる改善が求められていた。
【考案の開示】
【考案が解決しようとする課題】
【０００５】
本考案が解決しようとする課題は、内ネジ孔内部底端に、外ネジを緊密に締め付けることができる構造を備え、構造の安定性を増強することができ、公知の組立て箸の箸棒の磨耗による緩み脱落の欠点を改善可能な組立て箸の箸棒構造を提供することである。
【０００６】
上記課題を解決するため、本考案は下記の組立て箸の箸棒構造を提供する。組立て箸の箸棒構造の箸棒は、螺接組立ての２本の棒体を含み、該１本の棒体は組立て端に外ネジを設置し、該もう１本の棒体は組立て端に該外ネジに螺接可能な内ネジ孔を設置し、該内ネジ孔を備える棒体は該内ネジ孔の底端に収容孔を設置し、該収容孔内には該外ネジ末端を緊密に圧迫可能な弾性体を嵌入し、該弾性体は実体ゴム、バネ、或いは複数折畳まれた弾力片である。
【０００７】
組立て箸の箸棒構造は箸棒の棒体間において、組立て端の外ネジと内ネジ孔の螺接以外に、該内ネジ孔底端の収容孔内の弾性体により外ネジ末端を緊密に圧迫し、該外ネジと該内ネジ孔の緊密圧迫効果を増強し、公知箸棒の棒体の緩みによる脱落、分離の問題を具体的に解決し、棒体間の安定性を向上させることができる。
【課題を解決するための手段】
【０００８】
請求項１の考案は、少なくとも螺接組合せる２本の棒体を含み、そのうちの１本の該棒体は組立て端において外ネジを設置し、該もう１本の棒体は組立て端において該外ネジを螺接可能な内ネジ孔を設置し、
該内ネジ孔を備える棒体は該内ネジ孔の底端に収容孔を備え、しかも該収容孔内部には該外ネジ末端を緊密圧迫可能な弾性体を嵌入することを特徴とする組立て箸の箸棒構造としている。
請求項２の考案は、前記弾性体は実体のゴムであることを特徴とする請求項１記載の組立て箸の箸棒構造としている。
請求項３の考案は、前記弾性体はバネであることを特徴とする請求項１記載の組立て箸の箸棒構造としている。
請求項４の考案は、前記弾性体は複数折畳まれた弾力片であることを特徴とする請求項１記載の組立て箸の箸棒構造としている。
【考案の効果】
【０００９】
上記のように、本考案組立て箸の箸棒構造は箸棒の棒体間において、組立て端の外ネジと内ネジ孔の螺接以外に、該内ネジ孔底端の収容孔内の弾性体により外ネジ末端を緊密に圧迫し、該外ネジと該内ネジ孔の緊密圧迫効果を増強し、公知箸棒の棒体の緩みによる脱落、分離の問題を具体的に解決し、棒体間の安定性を向上させることができる。
【考案を実施するための最良の形態】
【００１０】
図３、図４に示すように、本考案組立て箸の構造の組立て箸aは、少なくとも２本の箸棒１を備える(図は２本の箸棒を例とする)。該各箸棒１はそれぞれ、螺接組合せする棒体１１を含む。該１本の棒体１１は組立て端において外ネジ１２を設置し、反対の棒体１１は組立て端において該外ネジ１２を螺接可能な内ネジ孔１３を設置する。該内ネジ孔１３を備える棒体１１は、該内ネジ孔１３の底端に収容孔１４を備える。該収容孔１４内部には該外ネジ末端１２１を緊密に圧迫可能な弾性体２を嵌入する(組合せ状態は図４参照)。
【００１１】
該弾性体２は実体のゴムである。長期組立て接続、分解使用後に、該外ネジ１２と該内ネジ孔１３に磨耗の状況が生じても、該弾性体２はその弾性により該収容孔１４位置において該外ネジ１２と該内ネジ孔１３を押すため、両者は緊密接続を持続することができる。
【００１２】
図５、６に示すように、該内ネジ孔１３底端の収容孔１４内に嵌入可能な弾性体２は、バネとして実施することができ(図５参照)、或いは、該弾性体２は複数折畳まれた弾力片２１として実施することができる(図６参照)。
【００１３】
上記のように、本考案箸棒１は２本の棒体１１の組立て接続により組成し、該棒体１１間は該外ネジ１２により該内ネジ孔１３に組入し、螺接する他に、該内ネジ孔１３底端の収容孔１４により弾性体２を嵌入し、該外ネジ末端１２１において緊密に圧迫する。こうして該外ネジ１２と該内ネジ孔１３の緊密圧迫程度を増強し、公知箸棒の緩みによる脱落、分離の問題を具体的に解決することができる。しかも、本考案の箸棒１は弾性体２の圧迫効果により、長期間の組立て接続、分解使用によっても、該外ネジ１２と該内ネジ孔１３は相互に緊密圧迫状態を維持することができる。
【図面の簡単な説明】
【００１４】
【図１】公知組立て箸の立体構造実施例分解表示図である。
【図２】別種の公知組立て箸の立体構造実施例分解表示図である。
【図３】本考案組立て箸の立体構造実施例分解表示図である。
【図４】本考案の構造実施例の組合せ断面図である。
【図５】本考案の別種の構造実施例の組合せ断面図である(弾性体をバネとして実施)である。
【図６】本考案のさらに別種の構造実施例の組合せ断面図である(弾性体を複数の折り畳み弾力片として実施)である。
【符号の説明】
【００１５】
A  組立て箸
１０  箸棒
１０１  棒体
１０２  外ネジ
１０３  内ネジ孔
２０  ワッシャー
a  組立て箸
１  箸棒
１１  棒体
１２  外ネジ
１２１  外ネジ末端
１３  内ネジ孔
１４  収容孔
２  弾性体
２１  弾力片
【図１】
0003145252.tif 000003
【図２】
0003145252.tif 000004
【図３】
0003145252.tif 000005
【図４】
0003145252.tif 000006
【図５】
0003145252.tif 000007
【図６】
0003145252.tif 000008